(57)【要約】【課題】形状磁気異方性による主磁極層の磁区制御を容易とし、記録媒体への意図しない磁気記録及び記録消去を防止可能な垂直磁気記録ヘッドを得る。【解決手段】磁気的に接続される主磁極層、リターンヨーク層及び補助ヨーク層を備えた垂直磁気記録ヘッドにおいて、主磁極層と同一の積層位置であって該主磁極層よりハイト方向後方に、互いのハイト方向の位置を異ならせてリターンヨーク層との接続位置まで断続的に延在する、複数の後方磁気接続層を設ける。補助ヨーク層は、媒体対向面よりハイト方向後方に断続的に延在して主磁極層と複数の後方磁気接続層の間をそれぞれ磁気的に接続する、複数の分断補助ヨーク層により形成する。そして、主磁極層、複数の後方磁気接続層及び複数の分断補助ヨーク層の各層において、トラック幅方向の寸法をハイト方向の寸法より大きく規定する。【選択図】図４
2008276819.tif 000002
【特許請求の範囲】
【請求項１】
記録媒体に対して垂直な記録磁界を印加する主磁極層と、この主磁極層と媒体対向面で所定間隔をあけて積層され且つ該媒体対向面よりハイト方向後方で磁気的に接続されたリターンヨーク層と、この主磁極層及びリターンヨーク層の間に設けたコイル層と、このコイル層から発生した記録用の磁束を前記主磁極層に導く補助ヨーク層とを備えた垂直磁気記録ヘッドにおいて、
前記主磁極層と同一の積層位置であって該主磁極層よりハイト方向後方に、互いのハイト方向の位置を異ならせて前記リターンヨーク層との接続位置まで断続的に延在する、複数の後方磁気接続層を設けたこと、
前記補助ヨーク層は、前記主磁極層に積層されて該主磁極層のハイト方向後端から前記リターンヨーク層との接続位置まで断続的に延在し、前記主磁極層と前記複数の後方磁気接続層の間をそれぞれ磁気的に接続する、複数の分断補助ヨーク層により形成されていること、及び、
前記主磁極層、前記複数の後方磁気接続層及び前記複数の分断補助ヨーク層は、各々のトラック幅方向の寸法がハイト方向の寸法より大きいこと、
を特徴とする垂直磁気記録ヘッド。
【請求項２】
請求項１記載の垂直磁気記録ヘッドにおいて、前記複数の分断補助ヨーク層は、同一の積層位置に形成されている垂直磁気記録ヘッド。
【請求項３】
請求項１または２記載の垂直磁気記録ヘッドにおいて、前記複数の分断補助ヨーク層は、前記主磁極層及び複数の後方磁気接続層に積層される第１群の分断補助ヨーク層と、この第１群の分断補助ヨーク層とは異なる積層位置で隣接し、該第１群の分断補助ヨーク層へ磁気的に接続する第２群の分断補助ヨーク層とを有する積層体で形成されている垂直磁気記録ヘッド。
【発明の詳細な説明】
【技術分野】
【０００１】
本発明は、記録媒体平面に垂直な記録磁界を印加して記録動作する垂直磁気記録ヘッドに関する。
【背景技術】
【０００２】
垂直記録磁気ヘッドは、周知のように、記録媒体との対向面（媒体対向面）では磁気ギャップ層を介して積層され該媒体対向面よりハイト方向後方で磁気的に接続された主磁極層及びリターンヨーク層と、媒体対向面よりハイト方向後方で主磁極層及びリターンヨーク層の間に設けられ、通電により記録用の磁束を発生させるコイル層とを有している。コイル層から発生された記録用の磁束は、主磁極層の媒体対向面に露出する前端面から記録媒体のハード膜に対して垂直に入射し、該記録媒体のソフト膜を通ってリターンヨーク層の媒体対向面に露出する前端面に戻る。これにより主磁極層の前端面と対向部分で記録媒体への磁気記録がなされる。
【０００３】
このような垂直磁気記録ヘッドでは、主磁極層の磁束収容量を補うために、主磁極層の上または下に積層形成した大容積のヨーク層を備える構造が知られている（特許文献１）。この構造によれば、記録動作時にコイル層から発生された磁束がヨーク層を介して主磁極層に導かれるので、主磁極層の媒体対向面に露出する前端面から放出される磁束量が増大し、記録磁界強度を高めることができる。
【０００４】
ところが、記録磁界強度が大きくなると、記録動作終了後における主磁極層の残留磁化も増大することから、非記録動作時（コイル層を通電していないとき）に、主磁極層の前端面から漏れる磁束によって記録媒体に意図しない不要な書き込みがなされてしまう（ポールロックアップ現象）虞がある。これを回避するには、非記録動作時に不要な磁束が漏洩しにくくなるように、記録媒体に対して垂直に入射する磁束方向と直交する方向、すなわち、トラック幅方向に磁化を安定させる主磁極層の磁区構造を定めることが必要である。このような主磁極層の磁区構造は、例えば特許文献１〜４に記載されている。
【特許文献１】特開２００６−２２１７８５号公報
【特許文献２】特開平５−１６６１３０号公報
【特許文献３】特開２０００−３３１３１０号公報
【特許文献４】特開２００６−１４７０５８号公報
【発明の開示】
【発明が解決しようとする課題】
【０００５】
特許文献１には、記録媒体対向面から後方の第１の位置まで延在する第１の主磁極層部分と、第１の位置よりも後退した第２の位置から後方に向かって延在して第１の主磁極層部分から分離された第２の主磁極層部分とを含む主磁極層を形成し、第１の主磁極層部分及び第２の主磁極層部分を幅寸法が長さ寸法より大きい横長形状に規定することで、形状磁気異方性により主磁極層の磁化成分が幅方向に支配的となる磁区構造が得られる旨の記載がある。
【０００６】
しかしながら、特許文献１におけるヨーク層としての補助磁極層は、第１の主磁極層部分から第２種磁極層部分にかけて長さ寸法が幅寸法より大きい縦長形状で備えられていて、形状磁気異方性により磁化成分が長さ方向に支配的となる磁区構造を有している。このため、補助磁極層と磁気的に接続されている第１の主磁極層部分及び第２の主磁極層部分は、補助磁極層の磁化方向の影響を受けることとなり、形状磁気異方性によって磁化成分を幅方向に安定させておくことが実際には難しい。
【０００７】
本発明は、形状磁気異方性による主磁極層の磁区制御を容易とし、記録媒体への意図しない磁気記録及び記録消去を防止可能な垂直磁気記録ヘッドを得ることを目的としている。
【課題を解決するための手段】
【０００８】
本発明は、主磁極層と補助ヨーク層の両方の平面形状をハイト方向の寸法よりトラック幅方向の寸法が大きい横長形状とすれば、形状磁気異方性により主磁極層の磁化成分をトラック幅方向に安定化させるのが容易であること、この横長形状を得るには、媒体対向面（または媒体対向面からハイト方向奥側に後退させた位置）からリターンヨーク層との接続位置まで連続的に形成していた主磁極層及び補助ヨーク層をハイト方向に複数に分断し、分断後のそれぞれにおいてトラック幅方向の寸法をハイト方向の寸法より大きく規定すればよいこと、そして、分断した主磁極層と補助ヨーク層をハイト方向に沿って交互に配置して連結すれば、主磁極層とリターンヨーク層の磁気的な接続を確保できることに着目して完成されたものである。
【０００９】
すなわち、本発明は、記録媒体に対して垂直な記録磁界を印加する主磁極層と、この主磁極層と媒体対向面で所定間隔をあけて積層され且つ該媒体対向面よりハイト方向後方で磁気的に接続されたリターンヨーク層と、この主磁極層及びリターンヨーク層の間に設けたコイル層と、このコイル層から発生した記録用の磁束を主磁極層に導く補助ヨーク層とを備えた垂直磁気記録ヘッドにおいて、主磁極層と同一の積層位置であって該主磁極層よりハイト方向後方に、互いのハイト方向の位置を異ならせてリターンヨーク層との接続位置まで断続的に延在する、複数の後方磁気接続層を設けたこと、補助ヨーク層は、主磁極層に積層されて該主磁極層のハイト方向後端からリターンヨーク層との接続位置まで断続的に延在し、主磁極層と複数の後方磁気接続層の間をそれぞれ磁気的に接続する、複数の分断補助ヨーク層により形成されていること、及び、主磁極層、複数の後方磁気接続層及び複数の分断補助ヨーク層は、各々のトラック幅方向の寸法がハイト方向の寸法より大きいことを特徴としている。
【００１０】
複数の分断補助ヨーク層は、同一の積層位置に形成することも異なる積層位置に形成することもできる。異なる積層位置に形成した複数の分断補助ヨーク層は、主磁極層及び複数の後方磁気接続層に積層される複数の第１群の分断補助ヨーク層と、この第１群の分断補助ヨーク層とは異なる積層位置で隣接し、該第１群の分断補助ヨーク層を磁気的に接続する第２群の分断補助ヨーク層とを有する積層体となることが実際的である。
【発明の効果】
【００１１】
本発明によれば、主磁極層と、該主磁極層のハイト方向後方からリターンヨーク層との接続位置までハイト方向に沿って断続的に延在させた複数の後方磁気接続層及び複数の補助磁性層とにおいて、それぞれのトラック幅方向の寸法をハイト方向の寸法より長く規定したので、形状磁気異方性により、これら主磁極層、複数の後方磁気接続層及び複数の補助磁性層の磁化成分をトラック幅方向に安定化させることができる。これにより、非記録動作時に、主磁極層の前端面から記録媒体に対して垂直に入射する漏れ磁束が低減し、記録媒体への意図しない磁気記録及び記録消去を防止可能な垂直磁気記録ヘッドが得られる。
【発明を実施するための最良の形態】
【００１２】
以下、図面を参照しながら本発明を説明する。各図において、Ｘ方向、Ｙ方向及びＺ方向は、トラック幅方向、ハイト方向及び垂直磁気記録ヘッドを構成する各層の積層方向（膜厚方向）でそれぞれ定義される。
【００１３】
図１〜図４は、本発明の一実施形態による垂直磁気記録ヘッドＨを示している。図１は垂直磁気記録ヘッドＨの全体構造を示す縦断面図であり、図２は主磁極層１１０の形状を説明する模式斜視図である。
【００１４】
垂直磁気記録ヘッドＨは、記録媒体Ｍに垂直な記録磁界Φを与え、記録媒体Ｍのハード膜Ｍａを垂直方向に磁化させる。記録媒体Ｍは、残留磁化の高いハード膜Ｍａを媒体表面側に、磁気透過率の高いソフト膜Ｍｂをハード膜Ｍａよりも内側に有している。この記録媒体Ｍは、例えばディスク状であり、ディスクの中心が回転軸中心となって回転させられる。スライダ１０１はＡｌ2Ｏ3・ＴｉＣなどの非磁性材料で形成されており、スライダ１０１の媒体対向面１０１ａが記録媒体Ｍに対向し、記録媒体Ｍが回転すると、表面の空気流によりスライダ１０１が記録媒体Ｍの表面から浮上する。
【００１５】
スライダ１０１のトレーリング側端面１０１ｂには、Ａｌ2Ｏ3またはＳｉＯ2などの無機材料による非磁性絶縁層１０２が形成されて、この非磁性絶縁層１０２の上に再生部Ｒが形成されている。再生部Ｒは、下部シールド層１０３と、上部シールド層１０６と、この下部シールド層１０３及び上部シールド層１０６の間を埋める無機絶縁層（ギャップ絶縁層）１０５と、この無機絶縁層１０５内に位置する再生素子１０４とを有している。再生素子１０４は、ＡＭＲ、ＧＭＲ、ＴＭＲなどの磁気抵抗効果素子である。
【００１６】
上部シールド層１０６の上には、コイル絶縁下地層１０７を介して、導電性材料で形成された複数本の第１コイル層１０８が形成されている。第１コイル層１０８は、例えばＡｕ，Ａｇ，Ｐｔ，Ｃｕ，Ｃｒ，Ａｌ，Ｔｉ，ＮｉＰ，Ｍｏ，Ｐｄ，Ｒｈから選ばれる１種、または２種以上の非磁性金属材料からなる。あるいはこれら非磁性金属材料が積層された積層構造であってもよい。第１コイル層１０８の周囲には、Ａｌ2Ｏ3またはＳｉＯ2などからなるコイル絶縁層１０９が形成されている。
【００１７】
コイル絶縁層１０９の上面は平坦化されていて、この平坦面の上に図示しないメッキ下地層が形成され、さらにメッキ下地層の上に、Ｎｉ−Ｆｅ、Ｃｏ−Ｆｅ、Ｎｉ−Ｆｅ−Ｃｏなどの飽和磁束密度の高い強磁性材料からなる主磁極層１１０が形成されている。
【００１８】
主磁極層１１０は、図２に示されるように、媒体対向面Ｆ側から順にポールストレート部（磁極部）１１０Ａ、１ｓｔフレア部１１０Ｂ、２ｎｄフレア部１１０Ｃ及び基部１１０Ｄを有している。ポールストレート部１１０Ａは、媒体対向面Ｆに露出する前端面１１０Ａ１を有し、トレーリングエッジＴＥにおけるトラック幅方向の寸法が記録トラック幅Ｔｗで形成され、ハイト方向の寸法が所定のネックハイトＮｈで形成されている。このポールストレート部１１０Ａは、その全長に渡って一様に、媒体対向面Ｆから見た形状がトレーリングエッジＴＥ側よりリーディングエッジＲＥ側で幅狭の台形形状（ベベル形状）をなしている。ポールストレート部１１０Ａのベベル化により、リーディングエッジＲＥ側から記録媒体Ｍまで到達する漏れ磁界を減らすことができ、サイドフリンジング抑制効果が得られる。１ｓｔフレア部１１０Ｂは、基部１１０Ｄからポールストレート部１１０Ａに向かって記録磁界を絞り込むための領域であって、ポールストレート部１１０Ａからハイト方向奥側に向かってトラック幅方向の寸法が広がっている。２ｎｄフレア部１１０Ｃは、励磁の際、基部１１０Ｄに発生する磁区構造がトラック幅方向に向くように整えるための領域であって、１ｓｔフレア部１１０Ｂと基部１１０Ｄを接合する。この主磁極層１１０は、コイル絶縁層１０９の上に全面的に形成されたものではなく、媒体対向面Ｆ側のみに局所的に形成されていて、基部１１０Ｄで補助ヨーク層１３０に磁気的に接続されている。
【００１９】
補助ヨーク層１３０は、主磁極層１１０よりも磁束飽和密度の低い磁性材料からなり、記録コイル（第１コイル層１０８、第２コイル層１１８）により発生された記録用の磁束を主磁極層１１０に供給する。主磁極層１１０の周囲には非磁性材料層１１１が形成されていて、主磁極層１１０の上面と非磁性材料層１１１の上面が同一面となるように平坦化されている。
【００２０】
媒体対向面Ｆ側において主磁極層１１０上には、例えばＡｌ2Ｏ3やＳｉＯ2等の無機非磁性絶縁材料からなる磁気ギャップ層１１３が所定のギャップ間隔に対応する膜厚で形成されている。磁気ギャップ層１１３の膜厚は、現状４０±２０ｎｍ程度である。磁気ギャップ層１１３上には、媒体対向面Ｆからハイト方向奥側に所定のスロートハイトＴｈだけ後退させた位置にハイト決め層１１５が形成され、このハイト決め層１１５のハイト方向奥側にコイル絶縁下地層１１７を介して第２コイル層１１８が形成されている。補助ヨーク層１３０の周囲はコイル絶縁下地層１１７で覆われている。
【００２１】
第２コイル層１１８は第１コイル層１０８と同様に、導電性材料によって複数本形成されている。第２コイル層１１８は、例えばＡｕ，Ａｇ，Ｐｔ，Ｃｕ，Ｃｒ，Ａｌ，Ｔｉ，ＮｉＰ，Ｍｏ，Ｐｄ，Ｒｈから選ばれる１種、または２種以上の非磁性金属材料からなる。あるいはこれら非磁性金属材料が積層された積層構造であってもよい。上記第１コイル層１０８と第２コイル層１１８とは、ソレノイド状になるように、それぞれのトラック幅方向（図示Ｘ方向）における端部同士が電気的に接続されている。コイル層（磁界発生手段）の形状は特にソレノイド形状に限定されるものではない。第２コイル層１１８の周囲には、コイル絶縁層１１９が形成されている。
【００２２】
コイル絶縁層１１９からハイト決め層１１５及び磁気ギャップ層１１３上にかけて、Ｎｉ−Ｆｅ、Ｃｏ−Ｆｅ、Ｎｉ−Ｆｅ−Ｃｏなどの飽和磁束密度の高い強磁性材料からなるリターンヨーク層１５０が形成されている。リターンヨーク層１５０は、媒体対向面Ｆに露出し、磁気ギャップ層１１３を介して主磁極層１１０のポールストレート部１１０Ａに対向する前端面１５０ａと、ハイト方向奥側で補助ヨーク層１３０を介して主磁極層１１０に磁気的に接続する接続部１５０ｂとを有している。リターンヨーク層１５０のスロートハイトＴｈは、ハイト決め層１１５により規定されている。このリターンヨーク層１５０は、無機非磁性絶縁材料からなる保護層１６０で覆われている。
【００２３】
以上の全体構成を有する垂直磁気記録ヘッドＨでは、補助ヨーク層１３０と複数の後方磁気接続層１２０を介して、主磁極層１１０の基部１１０Ｄとリターンヨーク層１５０の接続部１５０ｂが磁気的に接続されている。
【００２４】
次に、図３及び図４を参照し、本願発明の特徴部分である、主磁極層１１０、複数の後方磁気接続層１２０及び補助ヨーク層１３０について詳細に説明する。図３は、図１から主磁極層１１０、複数の後方磁気接続層１２０及び補助ヨーク層１３０を抽出して描いた部分拡大断面図であり、図４は、主磁極層１１０、複数の後方磁気接続層１２０及び補助ヨーク層１３０の平面形状を重ねて示す平面図である。図４では、補助ヨーク層１３０にハッチングを付して示してある。
【００２５】
主磁極層１１０は、上述したように媒体対向面Ｆ側に局所的に形成されていて、トラック幅方向の寸法ｗがハイト方向の寸法ｈ１より大きく規定されている（ｗ＞ｈ１）。ここで、主磁極層１１０のトラック幅方向の寸法ｗは基部１１０Ｄにおけるトラック幅方向の寸法であり、主磁極層１１０のハイト方向の寸法ｈ１は媒体対向面Ｆに露出する前端面１１０Ａ１からハイト方向後端１１０Ｅまでのハイト方向の寸法である。トラック幅方向の寸法ｗをハイト方向の寸法ｈ１より大きく規定したことにより、主磁極層１１０は、トラック幅方向と平行な方向に磁化しやすい磁区構造をとる。主磁極層１１０のトラック幅方向の寸法ｗは、トラック幅方向と平行な方向に磁化容易とするため、ハイト方向の寸法ｈ１の２倍以上であることが望ましい。
【００２６】
複数の後方磁気接続層１２０は、主磁極層１１０と同一の磁性材料、具体的にはＮｉ−Ｆｅ、Ｃｏ−Ｆｅ、Ｎｉ−Ｆｅ−Ｃｏなどの飽和磁束密度の高い強磁性材料からなり、主磁極層１１０と補助ヨーク層１３０とリターンヨーク層１５０を磁気接続部として機能する。
【００２７】
この複数の後方磁気接続層１２０は、主磁極層１１０と同一の積層位置であって該主磁極層１１０よりハイト方向後方に形成され、互いにハイト方向の位置を異ならせた第１後方磁気接続層１２１と第２後方磁気接続層１２２により構成されている。主磁極層１１０、第１後方磁気接続層１２１及び第２後方磁気接続層１２２は、同一階層中では物理的に連続しておらず、各々がハイト方向に分離されている。第１後方磁気接続層１２１と主磁極層１１０の間、及び、第１後方磁気接続層１２１と第２後方磁気接続層１２２の間には、非磁性材料層１１１が介在している。主磁極層１１０、第１後方磁気接続層１２１及び第２後方磁気接続層１２２の膜厚は、２５０±１００ｎｍ程度である。
【００２８】
主磁極層１１０側の第１後方磁気接続層１２１は、主磁極層１１０のハイト方向後端１１０Ｅよりハイト方向後方の位置Ｐ１から位置Ｐ２まで延在し、そのトラック幅方向の寸法ｗがハイト方向の寸法ｈ３（位置Ｐ１−Ｐ２間の距離）より大きい横長矩形状をなしている。一方、リターンヨーク層１５０側の第２後方磁気接続層１２２は、第１後方磁気接続層１２１よりハイト方向後方の位置Ｐ３からリターンヨーク層１５０との接続位置（接続部１５０ｂの下方位置）Ｐ４まで延在し、そのトラック幅方向の寸法ｗがハイト方向の寸法ｈ５（位置Ｐ３−Ｐ４間の距離）より大きい横長矩形状をなしている。この横長矩形状によれば、第１後方磁気接続層１２１と第２後方磁気接続層１２２には、それぞれ、トラック幅方向と平行な方向に形状磁気異方性が生じる。よって、第１後方磁気接続層１２１と第２後方磁気接続層１２２は、トラック幅方向と平行な方向に磁化しやすい磁区構造をとる（図７（ａ））。第１後方磁気接続層１２１及び第２後方磁気接続層１２２のトラック幅方向の寸法ｗは、トラック幅方向と平行な方向に磁化容易とするため、ハイト方向の寸法ｈ３、ｈ５の２倍以上であることが望ましい。
【００２９】
第１後方磁気接続層１２１及び第２後方磁気接続層１２２のトラック幅方向の寸法ｗは、主磁極層１１０のトラック幅方向の寸法と同一であり、第１後方磁気接続層１２１及び第２後方磁気接続層１２２のトラック幅方向の両端位置は主磁極層１１０のトラック幅方向の両端位置と一致している。
【００３０】
補助ヨーク層１３０は、上述したように、主磁極層１１０よりも磁束飽和密度の低い磁性材料からなり、記録コイル（第１コイル層１０８、第２コイル層１１８）から発生された記録用の磁束を主磁極層１１０に供給する機能を有する。補助ヨーク層１３０の膜厚は３００〜１２００ｎｍ程度である。
【００３１】
この補助ヨーク層１３０は、主磁極層１１０の基部１１０Ｄからリターンヨーク層１５０との接続位置まで断続的に延在させた、第１分断補助ヨーク層１３１と第２分断補助ヨーク層１３２により構成されている。第１分断補助ヨーク層１３１と第２分断補助ヨーク層１３２は、ハイト方向の位置を異ならせて主磁極層１１０上に積層されていて、同一階層中では物理的に連続していない。第１分断補助ヨーク層１３１と第２分断補助ヨーク層１３２の間には、コイル絶縁下地層１１７が介在している。
【００３２】
第１分断補助ヨーク層１３１は、媒体対向面Ｆと主磁極層１１０のハイト方向後端１１０Ｅの間の位置Ｐ５から上記位置Ｐ１よりハイト方向後方の位置Ｐ６まで延在し、主磁極層１１０と第１後方磁気接続部１２１を跨いで形成されている。この第１分断補助ヨーク層１３１は、そのトラック幅方向の寸法ｗがハイト方向の寸法ｈ２（位置Ｐ５−Ｐ６間の距離）より大きく規定されていて、媒体対向面Ｆ側に主磁極層１１０の２ｎｄフレア部１００Ｃに対応するテーパー面を有する横長ベース形状をなしている。一方、第２分断補助ヨーク層１３２は、第１分断補助ヨーク層１３１よりハイト方向後方の位置Ｐ７からリターンヨーク層１５０との接続位置（接続部１５０ｂの下方位置）Ｐ８まで延在し、第１後方磁気接続部１２１と第２後方磁気接続部１２２を跨いで形成されている。この第２分断補助ヨーク層１３２は、そのトラック幅方向の寸法ｗがハイト方向の寸法ｈ４（位置Ｐ７−Ｐ８間の距離）より大きい横長矩形状をなしている。この横長形状によれば、第１分断補助ヨーク層１３１と第２分断補助ヨーク層１３２には、それぞれ、トラック幅方向と平行な方向に形状磁気異方性が生じる。よって、第１分断補助ヨーク層１３１と第２分断補助ヨーク層１３２は、トラック幅方向と平行な方向に磁化しやすい磁区構造をとる（図７（ｂ））。第１分断補助ヨーク層１３１及び第２分断補助ヨーク層１３２のトラック幅方向の寸法ｗは、トラック幅方向と平行な方向に磁化容易とするため、ハイト方向の寸法ｈ２、ｈ４の２倍以上であることが望ましい。第１分断補助ヨーク層１３１は、第２分断補助ヨーク層１３２と同様に横長矩形状で形成することも可能であるが、本実施形態のように媒体対向面Ｆ側に主磁極層１１０の２ｎｄフレア部１００Ｃに対応するテーパー面を有する横長ベース形状とすれば、補助ヨーク先端での磁束の絞り込みをより効率良く行うことができ、記録磁界強度がより高まる。
【００３３】
第１分断補助ヨーク層１３１と第２分断補助ヨーク層１３２は、トラック幅方向の寸法ｗが主磁極層１１０、第１後方磁気接続層１２１及び第２後方磁気接続層１２２のトラック幅方向の寸法と同一であり、トラック幅方向の両端位置が主磁極層１１０、第１後方磁気接続層１２１及び第２後方磁気接続層１２２のトラック幅方向の両端位置と一致している。この第１分断補助ヨーク層１３１及び第２分断補助ヨーク層１３２は、図４に示されるように、平面視では主磁極層１１０、第１後方磁気接続層１２１及び第２後方磁気接続層１２２と重なり合う。
【００３４】
以上の同一階層中に位置する主磁極層１１０、第１後方磁気接続層１２１及び第２後方磁気接続層１２２と、同一階層中に位置する第１分断補助ヨーク層１３１及び第２分断補助ヨーク層１３２とは、ハイト方向に沿って互い違いに接続している。別言すれば、媒体対向面Ｆからハイト方向後方に向かって主磁極層１１０、第１分断補助ヨーク層１３１、第１後方磁気接続層１２１、第２分断補助ヨーク層１３２及び第２後方磁気接続層１２２の順番で配置され、主磁極層１１０から第２後方磁気接続層１２２まで磁気的に接続されている。リターンヨーク層１５０の接続部１５０ｂは、第２後方磁気接続層１２２及び第２分断補助ヨーク層１３２に接続する。
【００３５】
次に、上記主磁極層１１０、複数の後方磁気接続層１２０（第１後方磁気接続層１２１、第２後方磁気接続層１２２）及び補助ヨーク層１３０（第１分断補助ヨーク層１３１、第２分断補助ヨーク層１３２）を備えた本垂直磁気記録ヘッドＨの作用効果について説明する。
【００３６】
垂直磁気記録ヘッドＨでは、不図示の電流制御手段を介して記録コイル（第１コイル層１０８、第２コイル層１１８）への通電を開始することにより、記録動作が開始される。通電により記録コイルから発生された記録用の磁束は、複数の分断補助ヨーク層１３０（第１分断補助ヨーク層１３１、第２分断補助ヨーク層１３２）及び複数の後方磁気接続層１２０（第１後方磁気接続層１２１、第２後方磁気接続層１２２）から主磁極層１１０の基部１１０Ｄに伝えられ、基部１１０Ｄから２ｎｄフレア部１１０Ｃ及び１ｓｔフレア部１１０Ｂで絞り込まれた後、ポールストレート部１１０Ａの前端面１１０Ａ１から記録媒体Ｍに向かって放出される。このとき、記録媒体Ｍ（媒体表面）と垂直な方向に記録磁界Φが発生し、この垂直記録磁界Φによって記録媒体Ｍに磁気情報が記録される。そして、所望の磁気情報を記録した後は、不図示の電流制御手段を介して記録コイル（第１コイル層１０８、第２コイル層１１８）への通電を停止することにより、記録動作が終了される。
【００３７】
この記録動作終了により主磁極層１１０の前端面１１０Ａ１から記録媒体Ｍに向かう記録用の磁束の放出が中断されると、記録動作終了前に主磁極層１１０に供給された磁束は主磁極層１１０中に残留する。このとき、主磁極層１１０がハイト方向と平行な方向に磁化しやすい磁区構造をなしていると、主磁極層１１０中に残留している磁束（残留磁化）が前端面１１０Ａ１から外部に漏れやすく、非記録動作時に、記録媒体Ｍに対して意図しない磁気記録及び記録消去がなされてしまう。
【００３８】
これに対し、本垂直磁気記録ヘッドＨでは、主磁極層１１０だけでなく、該主磁極層１１０と磁気的に接続された第１後方磁気接続層１２１、第２後方磁気接続層１２２、第１分断補助ヨーク層１３１及び第２分断補助ヨーク層１３２のすべての層において、トラック幅方向の寸法ｗをハイト方向の寸法ｈ１〜ｈ５より大きく規定したことでトラック幅方向と平行な方向に形状磁気異方性が生じているから、図７に示されるように、トラック幅方向と平行な方向に磁化しやすい磁区構造をとる。別言すれば、上記各層の磁区構造中でトラック幅方向に平行な磁化成分（１１０Ｘ、１２１Ｘ、１２２Ｘ、１３１Ｘ、１３２Ｘ）の占有割合がハイト方向に平行な磁化成分（１１０Ｙ、１２１Ｙ、１２２Ｙ、１３１Ｙ、１３２Ｙ）の占有割合より大きくなり、トラック幅方向に平行な磁化成分（１１０Ｘ、１２１Ｘ、１２２Ｘ、１３１Ｘ、１３２Ｘ）が支配的になっている。したがって、主磁極層１１０の磁区構造は、主磁極層１１０自体の形状磁気異方性のみによらず、主磁極層１１０と磁気的に接続する磁性層（第１後方磁気接続層１２１、第２後方磁気接続層１２２、第１分断補助ヨーク層１３１及び第２分断補助ヨーク層１３２）の形状磁気異方性によっても、トラック幅方向と平行な方向に磁化しやすいように制御容易である。このように主磁極層１１０の磁化方向がトラック幅方向と平行な方向に安定する磁区構造をとれば、非記録動作時に、主磁極層１１０中に残留している磁束が前端面１１０Ａ１から外部に漏れる可能性は低くなる。これにより、記録媒体Ｍに対して垂直な記録磁界の発生が抑えられ、記録媒体Ｍへの意図しない磁気記録及び記録消去を防止することができる。
【００３９】
本実施形態では、主磁極層１１０の上に補助ヨーク層１３０（第１分断補助ヨーク層１３１、第２分断補助ヨーク層１３２）を積層してあるが、この第１分断補助ヨーク層１３１と第２分断補助ヨーク層１３２は、図５に示されるように、主磁極層１１０の下に積層形成することも可能である。
【００４０】
また本実施形態では、複数の分断補助ヨーク層（第１分断補助ヨーク層１３１、第２分断補助ヨーク層１３２）を同一の積層位置に設けてあるが、この複数の分断補助ヨーク層は、図６に示されるように、異なる積層位置に設けることも可能である。図６の実施形態において、補助ヨーク層１３０は、主磁極層１１０、第１後方磁気接続層１２１及び第２後方磁気接続層１２２に積層される第１群の分断補助ヨーク層１３５と、この第１群の分断補助ヨーク層１３５とは異なる積層位置で、隣接する第１群の分断補助ヨーク層１３５を磁気的に接続する第２群の分断補助ヨーク層１３６とを有する二段構造の積層体をなす。第１群の分断補助ヨーク層１３５及び第２群の分断補助ヨーク層１３６は、図３及び図４の第１分断補助ヨーク層１３１及び第２分断補助ヨーク層１３２と同様に、トラック幅方向の寸法をハイト方向の寸法ｈ６、ｈ７より大きく規定した横長形状で形成する。第２群の分断補助ヨーク層１３６は、さらに二段以上に分けて形成してもよい。
【００４１】
また本実施形態では、二つの後方磁気接続層１２１、１２２と二つの分断補助ヨーク層１３１、１３２を備えたが、後方磁気接続層１２０及び補助ヨーク層１３０は、三以上の後方磁気接続層及び分断補助ヨーク層で形成することができる。
【図面の簡単な説明】
【００４２】
【図１】本発明の一実施形態による垂直磁気記録ヘッドの全体構造を示す断面図である。
【図２】主磁極形状を説明する斜視図である。
【図３】図１の主磁極層、複数の後方磁気接続層及び複数の分断補助ヨーク層の積層構造を、拡大して示す断面図である。
【図４】主磁極層、複数の後方磁気接続層及び複数の分断補助ヨーク層の平面形状を重ねて示す平面図である。
【図５】複数の分断補助ヨーク層の変形例であって、主磁極層の下に第１分断補助ヨーク層と第２分断補助ヨーク層を積層した実施形態を示す断面図である。
【図６】複数の分断補助ヨーク層の変形例であって、複数の分断補助ヨーク層を異なる積層位置に二段構造で設けた実施形態を示す断面図である。
【図７】（ａ）主磁極層、第１後方磁気接続層及び第２後方磁気接続層の磁区構造を説明する模式図、（ｂ）第１分断補助ヨーク層及び第２分断補助ヨーク層の磁区構造を説明する模式図である。
【符号の説明】
【００４３】
１０９  コイル絶縁層
１１０  主磁極層
１１０Ａ  ポールストレート部（磁極部）
１１０Ａ１  前端面
１１０Ｂ  １ｓｔフレア部
１１０Ｃ  ２ｎｄフレア部
１１０Ｄ  基部
１１０Ｅ  ハイト方向後端
１１１  非磁性材料層
１２０  後方磁気接続層
１２１  第１後方磁気接続層
１２２  第２後方磁気接続層
１３０  補助ヨーク層
１３１  第１分断補助ヨーク層
１３２  第２分断補助ヨーク層
１５０  リターンヨーク層
１５０ａ  先端面
１５０ｂ  接続部
Ｆ    媒体対向面
Ｈ  垂直磁気記録ヘッド
Ｍ    記録媒体
ＴＥ  トレーリングエッジ
ＲＥ  リーディングエッジ
【図１】
2008276819.tif 000003
【図２】
2008276819.tif 000004
【図３】
2008276819.tif 000005
【図４】
2008276819.tif 000006
【図５】
2008276819.tif 000007
【図６】
2008276819.tif 000008
【図７】
2008276819.tif 000009